(57)【要約】【課題】蓋の開閉操作が容易で、一動作でロック状態となり、ロック忘れが生じにくく、施錠状態を容易に目視確認できるロック付きファスナを提供する。【解決手段】カバー６の係合部２２をフック３に掛けて、基端側をアーム５と共に押し下げると、アーム５の回転で係合部２２がフック３側へ引き寄せられると同時に、ラッチ部材７のラッチ片２５が、ベース４のラッチ受け部１３にスナップ係合する。蓋４２はラッチ部材７を操作しなければ開放できない。キー操作で、錠装置９のロータ２８を回転させると、施錠レバー８の施錠片２９がベース４の錠係合部１４に係合し、カバー６をベース４に拘束する。また施錠レバー８の操作片３０がインジケータ１０のアーム３２を押して、表示板３１の施錠状態表示部３５をカバー６の表示窓２３から露出させ、作業者は目視確認できる。この状態でラッチ部材７を操作しても、カバー６を起立できず、蓋４２が施錠される。【選択図】図１
2010196249.tif 000002
【特許請求の範囲】
【請求項１】
ボックス本体に取り付けられるファスナ本体と、ボックス本体の開口部を開閉する蓋に取り付けられファスナ本体に対して係合、離脱自在のフック部材とを具備し、
前記ファスナ本体は、ボックス本体に固着されるベースと、このベースに起立倒伏自在に基端側が枢着されるアームと、このアームの先端側に基端側が枢着されるカバーと、このカバーの基端側に回転操作可能に枢着されるラッチ部材と、前記カバーに取り付けられキー操作により施錠位置と解錠位置間で施錠レバーを回転させる錠装置と、前記カバーに取り付けられ前記錠装置の施錠レバーに連動して施錠表示位置と解錠表示位置間で移動自在のインジケータとを具備し、
前記ベースは、前記アームが枢着される枢着部と、前記フック部材に対向するように配置され前記ラッチ部材が係合離脱自在のラッチ受け部と、ラッチ受け部と枢着部との間に位置して前記錠装置の施錠レバーが係合離脱自在の錠係合部とを具備し、
前記アームは、前記ベースに対し常時所定角度で起立するように付勢され、
前記カバーは、常時はアームに対して所定の開き角度を持つように付勢され、先端側に前記フック部材に係合離脱自在の係合部を有すると共に、前記インジケータを外側に露出させる表示窓を具備し、
前記ラッチ部材は、中間の枢着部と、一端側のラッチ片と、他端側の操作片とを具備し、枢着部において前記カバーに枢支され、前記アームが倒伏したときラッチ片を前記ベースのラッチ受け部にスナップ係合させるように回転付勢され、操作片は前記カバーの基端側に突出してラッチ片とラッチ受け部との係合を解除する方向に回転操作可能に構成され、
前記錠装置の施錠レバーは、キー操作により前記ベースの錠係合部と係合する施錠位置と離脱する解錠位置間で回転自在に構成され、
前記インジケータは、前記施錠レバーの回転動作に連動して施錠表示位置と解錠表示位置間で移動することにより、前記カバーの表示窓から施錠又は解錠状態を表示することを特徴とするロック付きファスナ。
【発明の詳細な説明】
【技術分野】
【０００１】
この発明は、原動機付自転車の後部荷台等に設置される食品収納ボックス等の開口部に蝶番等で接続される開閉用の蓋等に適用されるロック付きファスナに関する。
【背景技術】
【０００２】
宅配用のボックスと、それの蓋を開閉させるための宅配用ボックスの開閉機構において、蓋に取り付けられるベースプレートと、ボックスに取り付けられるキャッチプレートと、ベースプレートにアームを介して回動可能に接続されるカバーとを有する宅配用ボックスの開閉機構が特許文献１に記載されている。カバーは、ベースプレートと係合、離脱自在のレバーと、キャッチプレートと係合、離脱自在のシャフトとを備える。レバーは、カバーの端から引き出すことによりベースプレートに噛み合わせ可能で、押し込むことによりベースプレートとの噛み合わせを解除可能なフックを有する。シャフトは、カバーの回転操作によりキャッチプレートに噛み合わせ及び噛み合わせを解除可能である。
【先行技術文献】
【特許文献】
【０００３】
【特許文献１】特開２００７−２３０２９２号公報
【発明の概要】
【発明が解決しようとする課題】
【０００４】
上記従来の宅配用ボックスの開閉機構においては、蓋をボックスに対してロックしたり、ロックを解除したりするのに、カバーの回転操作の他に、レバーを引いたり、押したりしなければならない。したがって、蓋の開閉操作が面倒であり、またロック操作をし忘れて移動し、不用意に蓋が開いてしまう可能性があるという課題がある。
したがって、この出願に係る発明は、蓋の開閉操作が容易で、一動作でロック状態となり、ロックのし忘れが生じにくく、かつ施錠、解錠の状態を容易に目視確認することができるロック付きのファスナを提供することを目的とする。
【課題を解決するための手段】
【０００５】
以下添付図面の符号を参照して説明するが、本発明はこれに限定されない。上記課題を解決するための、この出願に係るロック付きファスナ１は、ボックス本体４１に取り付けられるファスナ本体２と、ボックス本体４１の開口部を開閉する蓋４２に取り付けられファスナ本体２に対して係合、離脱自在のフック部材３とを具備する。ファスナ本体３は、ボックス本体４１に固着されるベース４と、このベース４に起立倒伏自在に基端側が枢着されるアームと５、このアーム５の先端側に基端側が枢着されるカバー６と、このカバー６の基端側に回転操作可能に枢着されるラッチ部材７と、カバー６に取り付けられキー操作により施錠位置と解錠位置間で施錠レバー８回転させる錠装置９と、カバー６に取り付けられ錠装置９の施錠レバー７に連動して施錠表示位置と解錠表示位置間で移動自在のインジケータ１０とを具備する。ベース４は、アーム５が枢着される枢着部１２と、フック部材３に対向するように配置されラッチ部材７が係合離脱自在のラッチ受け部１３と、ラッチ受け部１３と枢着部１２との間に位置して錠装置９の施錠レバー８が係合離脱自在の錠係合部１４とを具備する。アーム５は、ベース４に対し常時所定角度で起立するように付勢される。カバー６は、常時はアーム５に対して所定の開き角度を持つように付勢され、先端側にフック部材３に係合離脱自在の係合部２２を有すると共に、インジケータ１０を外側に露出させる表示窓２３を具備する。ラッチ部材７は、中間の枢着部２７と、一端側のラッチ片２５と、他端側の操作片２６とを具備し、枢着部２７においてアーム５に枢支される。ラッチ部材７は、アーム５が倒伏したとき、ラッチ片２５をベース４のラッチ受け部１３にスナップ係合させるように回転付勢される。操作片２６はカバー６の基端側に突出してラッチ片２５とラッチ受け部１３との係合を解除する方向に回転操作可能である。錠装置９の施錠レバー８は、キー操作により、ベース４の錠係合部１４と係合する施錠位置と離脱する解錠位置間で回転自在に構成される。インジケータ１０は、施錠表示位置と解錠表示位置間で移動することにより、カバー６の表示窓２３から施錠又は解錠状態を表示する。
【発明の効果】
【０００６】
この出願に係る発明のロック付きファスナによれば、蓋の開閉操作が容易で、一動作でロック状態となり、ロックのし忘れが生じにくく、かつ施錠、解錠の状態を容易に目視確認することができる。
【図面の簡単な説明】
【０００７】
【図１】本発明に係るロック付きファスナの非ロック状態の断面図である。
【図２】図１のロック付きファスナのロック状態の正面図である。
【図３】図１のロック付きファスナのロック状態におけるファスナ本体の背面図である。
【図４】図１のロック付きファスナにおけるファスナ本体の背面側から見た分解斜視図である。
【図５】図１のロック付きファスナの操作過程を示す断面図である。
【図６】図１のロック付きファスナの操作過程を示す断面図である。
【図７】図１のロック付きファスナにおける施錠機構の動作説明図である。
【発明を実施するための形態】
【０００８】
図面を参照してこの発明の実施の形態を説明する。ロック付きファスナ１は、ボックス本体４１に取り付けられるファスナ本体２と、ボックス本体の開口部を開閉する蓋４２に取り付けられファスナ本体２に対して係合、離脱自在のフック部材３とを具備する。
【０００９】
ファスナ本体２は、ベース４と、アーム５と、カバー６と、ラッチ部材７と、施錠レバー８を備えた錠装置９と、インジケータ１０とを具備する。
【００１０】
ベース４は、ボックス本体４１にねじ止めされるほぼ矩形の基板１１の上に、枢着部１２と、ラッチ受け部１３と、錠係合部１４とを突設してなる。枢着部１２が基板１１のフック３寄りの一端側に配置され、フック３から離れて対向する他端側にラッチ受け部１３が配置され、枢着部１２とラッチ受け部１３との間に錠係合部１４が配置される。
【００１１】
アーム５は、基端側において、軸１５で、ベース４の枢着部１２に起立倒伏自在に枢着され、ばね１６で、ベース４に対し常時所定角度で起立するように付勢される。
【００１２】
カバー６は、基端側において、軸１７で、アーム５の先端側に枢着され、ばね１８で、アーム５に対し常時所定角度で延びるように付勢される。カバー６は、ほぼ矩形の天板１９と、天板の長辺と先端側の短辺から直角に延びる側壁２０，２１とを具備し、図６に示すロック状態において、フック部材３とベース４が、カバー６の天板１９と側壁２０，２１に覆われた状態となる。先端側の側壁２１の下縁部には、フック部材３に係合離脱自在の係合部２２を有する。天板１９には、インジケータ１０を外側に露出させる表示窓２３と、錠装置９を受け入れる段付きの円孔２４とを具備する。
【００１３】
ラッチ部材７は、一端側のラッチ片２５と、他端側の操作片２６と、中間の枢着部２７とを具備し、枢着部２７において、軸１２で、カバー６の基端側に回転操作可能に枢支される。ラッチ部材７は、アーム５が倒伏したとき、ラッチ片２５をベース４のラッチ受け部１３にスナップ係合させるように、ばね１８で、回転付勢される。操作片２６は、カバー６の天板１９の基端側に突出し、ラッチ片２５とラッチ受け部１３との係合を解除する方向に、ばね１８に抗して回転操作可能に構成される。
【００１４】
錠装置９は、カバー６の段付き円孔２４に嵌合固定され、キー操作でロータ２８施錠位置と解錠位置間を正逆９０°回転させることにより、施錠レバー８を一体回転させることができる。施錠レバー８は、半径方向に延出する一対の施錠片２９と、インジケータ１０に係合してこれを移動操作する一対の操作片３０とを具備する。施錠片２９は、施錠位置において、ベース４の錠係合部１４に係合して、カバー６をベース４に拘束する。
【００１５】
図３，７に示すように、インジケータ１０は、矩形板状の表示板３１と表示板３１の一長辺の中央から直角に延出するアーム３２とを具備し、表示板２９を表示窓２３の下に沿わせて、カバー６の長軸直交方向に移動自在に、天板１９下に保持される。アーム３２は、錠装置９側に延出して施錠レバー８の操作片３０と係合し、施錠レバー８の回転動作に連動して施錠表示位置と解錠表示位置間で移動することにより、表示窓２３から色分けされた表示部３５を露出させ、施錠又は解錠状態を表示する。表示板２９のガイド溝３３に、天板のガイド突起３４が嵌って移動を案内する。
【００１６】
いま、図１に示す非ロック状態において、蓋４２を矢印方向へ開き、ボックス本体４１内にある食品等の商品を取り出し、その場を離れて宅配する場合、安全のために蓋４２を閉じ、施錠する必要がある。
【００１７】
図１の状態から、図５に示すように、カバー６の先端側を押し下げて係合部２２をフック３に掛けた状態で、係合部２２を中心にカバー６を回転させるように、基端側をアーム５と共に押し下げると、アーム５の回転により係合部２２がフック３側へ引き寄せられると同時に、ラッチ部材７のラッチ片２５が、ベース４のラッチ受け部１３に当接しつつ反時計方向へ回転した後、ラッチ受け部１３にスナップ係合する。この状態で、蓋４２はロックされ、ラッチ部材７を操作しなければ開放することができない。蓋４２は以上の一操作でロックすることができ、この状態で車両を走行させても、蓋４２が開放することはない。この状態では、図２，７（ａ）に示すように、インジケータ１０の表示部３５が、ケース６の表示窓２３から非ロック状態の表示を露出させる。したがって、作業者は、非ロック状態を容易に確認でき、施錠忘れが防止される。
【００１８】
次いで、図示しないキー操作で、錠装置９のロータ２８を図２，７（ａ）において反時計方向へ９０°回転させると、７（ｂ）に示すように、施錠レバー８の施錠片２９がベース４の錠係合部１４に係合し、カバー６をベース４に拘束する。また施錠レバー８の操作片３０がインジケータ１０のアーム３２を押して、表示板３１の施錠状態表示部３５をカバー６の表示窓２３から露出させる。これにより、作業者が容易に施錠状態を目視確認することができる。この状態では、ラッチ部材７を操作しても、カバー６を起立させることができず、蓋４２が施錠される。
【００１９】
再び蓋４２を開放するためには、図７（ｂ）において、錠装置９のロータ２８を時計方向へ９０°回転させることにより、施錠レバー８の施錠片２９をベース４の錠係合部１４から外す必要がある。ラッチ部材７の操作片２６に指をかけてこれを上方へ引き上げつつ回転させると、ラッチ片２５がベースのラッチ受け部１３から外れると同時に、ばね１６，１８により、アーム５が起立し、カバー６がベース４とほぼ平行に保持される（図１）。
【符号の説明】
【００２０】
１    ロック付きファスナ
２    ファスナ本体
３    フック部材
４    ベース
５    アーム５
６    カバー
７    ラッチ部材
８    施錠レバー
９    錠装置
１０  インジケータ
１１  基板
１２  枢着部
１３  ラッチ受け部
１４  錠係合部
１５  軸
１６  ばね
１７  軸
１８  ばね
１９  天板
２０  側壁
２１  側壁
２２  係合部
２３  表示窓
２４  段付き円孔
２５  ラッチ片
２６  操作片
２７  枢着部
２８  ロータ
２９  施錠片
３０  操作片
３１  表示板
３２  アーム
３３  ガイド溝
３４  ボガイド突起
３５  表示部
４１  ボックス本体
４２  蓋
【図１】
2010196249.tif 000003
【図２】
2010196249.tif 000004
【図３】
2010196249.tif 000005
【図４】
2010196249.tif 000006
【図５】
2010196249.tif 000007
【図６】
2010196249.tif 000008
【図７】
2010196249.tif 000009